(57)【要約】【課題】乾式でありながら、プレート等の貫通材が貫通する外壁目地を、簡素な構造で施工容易に、しっかりとした止水状態にすることができる、プレート等の貫通材が貫通する外壁目地の乾式止水構造を提供する。【解決手段】プレート等の貫通材３の貫通部を挟んで上下方向に延びる両側の外壁目地部４ａ，４ｂに上下の乾式二次目地止水材８，８が設置され、それらの間を止水する乾式の貫通部止水材１０が備えられている。貫通部止水材１０は、上側の目地止水材８の背面側に突出する部分２１と、下側の目地止水材８の屋外側に突出する部分２２と、両部分２１，２２をつなぐ中間部部分２３とを備え、中間部部分２３には、カバー部２５付きの貫通孔２４が明けられ、該貫通孔２４に貫通材３が通されている。【選択図】      図１
2006097392.tif 000002
【特許請求の範囲】
【請求項１】
プレート等の貫通材の貫通部を挟んで上下方向に延びる両側の外壁目地部にそれぞれ上下の乾式目地止水材が設置されると共に、
上下の乾式目地止水材間を止水する乾式の貫通部止水材が備えられ、
該貫通部止水材は、上側の目地止水材の背面側に突出する部分と、下側の目地止水材の屋外側に突出する部分と、両部分をつなぐ中間部部分とを備え、中間部部分に貫通材を通す貫通孔が明けられ、該貫通孔に貫通材が通されていることを特徴とする、プレート等の貫通材が貫通する外壁縦目地の乾式止水構造。
【請求項２】
前記貫通部止水材は、中間部部分の貫通材貫通孔から屋外側に突出して貫通材の外周部をカバーするカバー部を備えている請求項１に記載の、プレート等の貫通材が貫通する外壁縦目地の乾式止水構造。
【請求項３】
前記乾式目地止水材が二次止水材からなり、貫通材を挟んで延びる上下両側の目地部にそれぞれ屋外側に面する乾式一次目地止水材が設置され、
前記貫通材は、屋外側から部材を取り付けるための下地材からなり、部材には貫通材を差し込む開口部が備えられると共に、部材の開口部側の端面部には、弾力性を備えた乾式のジョイント止水材が該開口部を囲む全周にわたるように備えられ、
部材の開口部を通じて貫通材が差し込まれ、部材と貫通材とが結合された状態で、前記ジョイント止水材が外壁目地部に弾力的な押し当て状態となって、両乾式一次止水材間を止水状態にしている請求項１又は２に記載の、プレート等の貫通材が貫通する外壁縦目地の乾式止水構造。
【発明の詳細な説明】
【技術分野】
【０００１】
本発明は、プレート等の貫通材が貫通する外壁縦目地の乾式止水構造に関する。
【背景技術】
【０００２】
建物の外壁に、例えば、バルコニーの腰壁を取り付けたり、物干し金物を取り付ける等の目的で、柱などの建物構造部分に固着したプレートを外壁面材間の縦目地を通じて屋外側に突出させることがあり、外壁縦目地とプレートの貫通部分の止水を乾式で行う場合に、いかなる態様で行うかが問題となる。
【発明の開示】
【発明が解決しようとする課題】
【０００３】
本発明は、上記のような問題に鑑み、乾式でありながら、プレート等の貫通材が貫通する外壁目地を、簡素な構造で施工容易に、しっかりとした止水状態にすることができる、プレート等の貫通材が貫通する外壁目地の乾式止水構造を提供することを課題とする。
【課題を解決するための手段】
【０００４】
上記の課題は、プレート等の貫通材の貫通部を挟んで上下方向に延びる両側の外壁目地部にそれぞれ上下の乾式目地止水材が設置されると共に、
上下の乾式目地止水材間を止水する乾式の貫通部止水材が備えられ、
該貫通部止水材は、上側の目地止水材の背面側に突出する部分と、下側の目地止水材の屋外側に突出する部分と、両部分をつなぐ中間部部分とを備え、中間部部分に貫通材を通す貫通孔が明けられ、該貫通孔に貫通材が通されていることを特徴とする、プレート等の貫通材が貫通する外壁縦目地の乾式止水構造によって解決される。
【０００５】
この構造では、貫通部を挟む上下の乾式目地止水材間を止水する貫通部止水材が、上側の目地止水材の背面側に突出する部分と、下側の目地止水材の屋外側に突出する部分と、これら両部分をつなぐ中間部部分を備えているので、上側の乾式目地止水材の屋外側を伝って流下する水が、下側の乾式目地止水材の屋外側に導かれ、貫通材の貫通部をしっかりと止水することができる。
【０００６】
しかも、乾式の貫通部止水材を設置するだけでそのような止水状態を形成することができるので、貫通部を備えた外壁縦目地を簡素な構造で施工容易に止水状態にすることができる。
【０００７】
上記の構造において、貫通部止水材が、中間部部分の貫通材貫通孔から屋外側に突出して貫通材の外周部をカバーするカバー部を備えているとよい。この場合は、上側の乾式目地止水材の屋外側を伝って流下する水が、貫通部止水材の貫通孔の周囲部分を通じて下側の乾式目地止水材の屋内側に入り込むことなく、下側の乾式目地止水材の屋外側に導かれ、貫通材の貫通部をしっかりと止水することができる。しかも、カバー部によるカバーという簡素な構造で貫通材周囲を止水することができ、貫通部止水材の設置も施工容易に行うことができる。
【０００８】
また、上記の構造において、前記乾式目地止水材が二次止水材からなり、貫通材を挟んで延びる上下両側の目地部にそれぞれ屋外側に面する乾式一次目地止水材が設置され、
前記貫通材は、屋外側から部材を取り付けるための下地材からなり、部材には貫通材を差し込む開口部が備えられると共に、部材の開口部側の端面部には、弾力性を備えた乾式のジョイント止水材が該開口部を囲む全周にわたるように備えられ、
部材の開口部を通じて貫通材が差し込まれ、部材と貫通材とが結合された状態で、前記ジョイント止水材が外壁目地部に弾力的な押し当て状態となって、両乾式一次止水材間を止水状態にしているのもよい。
【０００９】
この場合は、乾式一次目地止水材が貫通材の貫通部で分断されるが、その部分は乾式ジョイント止水材で止水され、しかも、該ジョイント止水材は、貫通材に取り付けられる部材を利用し、該部材の端面と外壁目地部との間に挟み込まれて一次止水材間を止水するようになされているので、外部から視認されにくくて目立たずスッキリとした仕上がりにおいて、簡素な構造で、しっかりとした止水状態を形成することができる。
【発明の効果】
【００１０】
本発明は、以上のとおりのものであるから、乾式でありながら、プレート等の貫通材が貫通する外壁目地を、簡素な構造で施工容易に、しっかりとした止水状態にすることができる。
【発明を実施するための最良の形態】
【００１１】
次に、本発明の実施最良形態を図面に基づいて説明する。
【００１２】
図１〜図３に示す実施形態の乾式止水構造において、１は建物の柱、２，２は外壁パネル、３は貫通材としてのプレートであり、プレート３は、柱１に溶接などで取り付けられ、外壁パネル２，２間の縦目地４を通じて屋外側に突出している。なお、外壁パネル２において、５は窯業系などからなる外装材、６はパネルフレーム、７は下地である。
【００１３】
上記のプレート３が貫通する縦目地４を止水するため、本実施形態では、次のような乾式止水構造が採られている。即ち、８，８は乾式の二次目地止水材、１０は該二次に関係する乾式の貫通部止水材、９，９は乾式の一次目地止水材である。
【００１４】
二次目地止水材８，８は、発泡ＥＰＤＭ等の弾力性を有するものからなっていて、プレート３の貫通部を挟んで上下方向に延びる両側の縦目地部分４ａ，４ｂ内にそれぞれ設置されている。
【００１５】
貫通部止水材１０は、これら上下の二次目地止水材８，８間を止水するもので、ＣＣＰ等の樹脂製シート、あるいは、金属製シートの成形品からなっていて、図２（イ）（ロ）に示すように、上側の目地止水材８の背面側に突出する部分２１と、下側の目地止水材８の屋外側に突出する部分２２と、両部分２１，２２をつなぐ傾斜した中間部部分２３とを備えている。
【００１６】
そして、貫通部止水材１０の中間部部分２３には、プレート３をしっくりと通すスリット状の貫通孔２４が明けられると共に、貫通孔２４から屋外側に突出する筒状のカバー部２５が備えられ、プレート３が貫通孔２４に通され、プレート３の外周部が筒状カバー部２５で全周にわたってカバーされている。
【００１７】
施工は、図３（イ）に示すように、屋外側から、下側の目地止水材８をプレート貫通部を挟む下側の縦目地部分４ｂの奥方に設置し、次いで、貫通部止水材１０を、その下側部分２２が下側目地止水材８の屋外側の面部に沿って位置するようにして、貫通孔２４にプレート３を通して設置する。しかる後、上側の目地止水材８をプレート貫通部を挟む上側の縦目地部分４ａの奥方に設置する。これにより、貫通部止水材１０の上側部分２１は上側の目地止水材８の背面側に設置される。
【００１８】
このように、上記の乾式二次止水構造では、上側の目地止水材８の屋外側を伝って流下する水が、貫通部止水材１０の上側部分２１、中間部部分２３、下側部分２２を伝って、下側の目地止水材８の屋外側に導かれ、プレート３の貫通部をしっかりと止水することができる。
【００１９】
しかも、貫通部止水材１０の貫通孔２４の周囲には筒状のカバー部２５が屋外側に突出するように備えられ、プレート３の外周部が該カバー部２５によってカバーされているので、該カバー部２５による止水作用によって、上側の乾式目地止水材８の屋外側を伝って流下する水が、貫通部止水材１０の貫通孔２４の周囲部分を通じて下側の乾式目地止水材の屋内側に入り込むことなく、下側の乾式目地止水材８の屋外側に導かれ、プレート３の貫通部をしっかりと止水することができる。
【００２０】
なお、外壁目地４を挟む対向側面部と貫通部止水材１０との間は、貫通部止水材１０を弾性的に撓ませてその両側縁部を対向面部に弾接させるか、あるいは、貫通部止水材１０の両側縁部に対向面部に沿って屋外側に立ち上がる立ち上がり縁を備えさせておくことなど、各種方法によって止水状態にされるのもよい。
【００２１】
一方、乾式の一次目地止水材９，９は、いわゆるガスケットからなっていて、プレート３の貫通部を挟んで上下方向に延びる両側の縦目地部分４ａ，４ｂ内にそれぞれ屋外側に面するように設置されている。
【００２２】
そして、一次目地止水材９，９間のプレート貫通部を止水するため、次のような構造が採用されている。即ち、図１及び図２（ロ）に示すように、プレート３を下地として取り付けられるブラケット等の部材１２が備えられており、該部材１２には、プレート３を差し込むスリット孔１３が設けられると共に、スリット孔１３の開口部１４側の端部には、外方に突出する環状のつば部１２ａが備えられ、該つば部１２ａの端面部に、弾力性を備えた環状の乾式ジョイント止水材１５が、開口部１４の周囲を全周にわたって延びるように予め備えられている。
【００２３】
この部材１２は、図１及び図３（ロ）に示すように、開口部１４をプレート３の側に向け、開口部１４を通じてプレート３をスリット孔１３内に差し込み、部材１２をプレート３の側に寄せていって取付け孔１６，１６同士を芯合わせ状態にし、そして、側方からボルトを取付け孔１６，１６に通して締め付けることでプレート３に結合されるが、部材１２をプレート３の側に寄せていくことで、ジョイント止水材１５は、部材１２と外壁との間に挟み込まれて、外壁縦目地部領域に対して弾力的な押し当て状態となり、それによって、プレート３の貫通する上下の一次目地止水材９，９間が止水状態にされている。
【００２４】
この構造によれば、ジョイント止水材１５の使用によって、一次目地止水材９，９間を、簡素な構造で、しっかりとした止水状態にすることができると共に、ジョイント止水材１５は、部材１２と外壁との間に挟み込まれて外部から視認されにくく、屋外側に面する一次目地止水材９，９間を、目立ちにくいスッキリとした仕上がりで、止水状態にすることができる。また、本実施形態では、ジョイント止水材１５が部材１２の側に予め取り付けられているので、上下の一次目地止水材９，９間を施工容易にかつきれいに止水状態にすることができるが、ジョイント止水材１５は部材１２の側に予め取り付けられていてもいなくてもよい。
【００２５】
以上に、本発明の実施形態を示したが、本発明はこれに限られるものではなく、発明思想を逸脱しない範囲で各種の変更が可能である。例えば、上記の実施形態では、二次止水構造部分において、貫通部止水材１０の下側部分２２を下側の二次止水材８と下側の一次止水材９との間に設置した場合を示しているが、下側の一次止水材９の屋外側に設置するようにしてもよい。
【００２６】
また、上記の実施形態では、二次止水部における貫通部止水材１０とプレート３との間をカバー部２５で止水状態にした場合を示しているが、カバー部２５による方法以外の方法で止水状態にされていてもよい。
【００２７】
また、上記実施形態では、一次、二次の二重止水構造における二次止水構造部分に適用した場合を示しているが、二重止水構造におけ一次止水構造部分に適用されてもよいし、一重止水構造に適用されてもよい。
【００２８】
更に、上記の実施形態では、貫通材がプレート３である場合を示しているが、貫通材の形態に制限はない。
【図面の簡単な説明】
【００２９】
【図１】実施形態の止水構造を示す一部断面分解斜視図である。
【図２】図（イ）は貫通部止水材を示す斜視図、図（ロ）は止水構造の側面図である。
【図３】図（イ）及び図（ロ）はそれぞれ施工方法を示す側面図である。
【符号の説明】
【００３０】
４…外壁縦目地
４ａ…上側の目地部分
４ｂ…下側の目地部分
８…乾式の二次目地止水材
９…乾式の一次止水材
１０…貫通部止水材
１２…部材
１４…開口部
１５…乾式ジョイント止水材
２１…上側部分
２２…下側部分
２３…中間部部分
２４…貫通孔
２５…カバー部
【図１】
2006097392.tif 000003
【図２】
2006097392.tif 000004
【図３】
2006097392.tif 000005